(57)【要約】【課題】　ペットボトル（６）を利用し、本体（１）を分解してコンパクトに携帯でき容器内部の洗浄液の残量が把握できる鼻腔内洗浄器を提供する。【解決手段】４５度の傾斜角をもたせた上方にノズルパイプ（２）を延設し、下部には雌ネジを形成して成るキャップ部（３）と、前記ノズルパイプ方向に５度の傾斜角をもたせ、下部には逆流防止装置（６）を形成し、吸気パイプとを一体として洗浄器本体（１）としたことを特徴とし、上記キャップ部をペットボトル口部に取り付けて使うペットボトル用分解式携帯鼻腔内洗浄器。【選択図】　図２
2004000738.tif 000002
【特許請求の範囲】
【請求項１】
　４５度の傾斜角をもたせた上方にノズルパイプ（２）を延設し、下部には雌ネジを形成して成るキャップ部（３）と、前記ノズルパイプ（２）方向に５度の傾斜角をもたせ、下部には逆流防止装置（６）を形成し、吸気パイプとを一体として洗浄器本体（１）としたことを特徴とし、上記キャップ部をペットボトル口部に取り付けて使うペットボトル用分解式携帯鼻腔内洗浄器。
【請求項２】
　逆流防止装置（６）については、吸気パイプ（４，５）の末端部（５ｄ）より奥に約１センチの所に、ゴム状のオーリング（５ｂ）を設置固定し、吸気パイプ（４、５）の内径より約１ミリ小さいボール状の浮き（５ｃ）を末端部（５ｄ）側に挿入し、棒状の留め具（５ｃ）を設け末端部（５ｄ）に形成される開口は、ノズルパイプ（２，３ａ）の方向を向くように開けることを特徴とする請求項１に記載のペットボトル用分解式携帯鼻腔内洗浄器。
【請求項３】
　携帯時に分解可能なように、ノズルパイプ（２）は、キャップ部ノズルパイプ側（３ａ）との接合面から凸凹状のパイプを形成することにより嵌合する構造となっており、同様にキャップ部（３）の内最上部と吸気パイプ（４，５）、さらには吸気パイプ（４，５）内における吸気パイプ上部（４）と下部（５）同士も同様に凸凹によって嵌合することを特徴とする請求項１又は２に記載のペットボトル用分解式携帯鼻腔内洗浄器。
【発明の詳細な説明】
【発明の詳細な説明】
【技術分野】
【０００１】本発明は、ペットボトル（７）を利用し、鼻腔内洗浄器本体（１）を分解し、コンパクトに携帯できる鼻腔内洗浄器に関するものである。
【背景技術】
【０００２】従来は、家庭内で使用する大型の物や、専用の容器とセットで携帯する洗浄器が知られているが、使用中、容器が不透明なため、容器内部の洗浄液の残量の把握が困難であり、また、容器を別にして、本体（１）だけを分解しコンパクトに携帯できる鼻腔内洗浄器はなかった。
【発明が解決しようとする課題】
【０００３】従来の携帯用鼻腔内洗浄器は、専用の容器とセットで持ち歩く必要があり、かさばってしまっていた。また、容器内部の洗浄液の残量の把握が困難であった。
本発明は、これらの欠点を除くためになされたものである。
【課題を解決するための手段】
【０００４】４５度の傾斜角をもたせた上方にノズルパイプ（２）を延設し、下部には雌ネジを形成して成るキャップ部（３）と、前記ノズルパイプ（２）方向に５度の傾斜角をもたせ、下部には逆流防止装置（６）を形成し、吸気パイプとを一体として洗浄器本体（１）としたことを特徴とし、上記キャップ部をペットボトル口部に取り付けて使うペットボトル用分解式携帯鼻腔内洗浄器。
本発明は、以上の構成よりなる。
【発明を実施するための最良の形態】
【０００５】　　以下、本発明の実施の形態について説明する。
（イ）　ペットボトル（７）の口部へ取り付けるために、雌ネジ状にキャップ部を形成する。
（ロ）　キャップ部（３）の側面から、鼻穴に、送水口を挿入した時４５度の斜角を有したノズルパイプを設ける。ノズルパイプの中間より、ノズルパイプ（２）とキャップ部ノズルパイプ側（３ａ）に分け、その接合面を、凸凹に形成し、取り外し可能にする。
（ハ）　キャップ部（３）の内側最上部から貫通し、円滑に吸気を行うために、ノズルパイプ（２，３ａ）方向に５度の傾斜角を有した吸気パイプ（４、５）を設ける。以上、請求項１に記載。
（ニ）　逆流防止装置（６）は、吸気パイプ（４、５）の末端部（５ｄ）より奥に約１センチの所に、ゴム状のオーリング（５ａ）を設置固定し、吸気パイプ（４、５）の内径より約１ミリ小さいボール状の浮き（５ｂ）を末端部（５ｄ）側に挿入し、棒状の留め具（５ｃ）を設ける。以上、請求項２に記載。
（ホ）　吸気パイプ（４、５）の末端部（５ｄ）に形成される開口は，容器内の洗浄液の逆流を、最小限に抑えるために、ノズルパイプ（２，３ａ）側を向くように設置する。
（ヘ）　本発明を構成するノズルパイプ（２）は、キャップ部ノズルパイプ側（３ａ）との接合面が凸凹を形成することにより嵌合する構造となっており、同様にキャップ部（３）内最上部と吸気パイプ（４，５）、さらには吸気パイプ（４，５）内における吸気パイプ上部（４）と下部（５）同士も、同様に凸凹によって嵌合する構造となっている。以上、請求項３に記載。
　本発明は以上のような構造で、これを使用するときは、人肌程度の温度で、１パーセント前後の濃度の食塩水をペットボトル（７）に注ぎ入れ、組み立てた鼻腔内洗浄器本体（１）を吸気パイプ（４、５）の末端部（５ｄ）から入れていき、キャップ部（３）をペットボトル（７）の口にねじ込みセットする。セットした鼻腔内洗浄器をノズルパイプ（２、３ａ）の反対側へ水平になるまで傾け、鼻へノズルパイプ（２、３ａ）の先端を入れ鼻腔内洗浄器を水平方向から鉛直下方向までの間の角度で、程よい水流に角度調整しながら使用する。また、本発明の実施例として、吸気パイプ上部（４）下部（５）を使用すれば、５００ミリリットルのペットボトルが使用でき、吸気パイプ下部（５）のみ使用すれば、５００ミリリットル以下の容量のペットボトルが使用できる。【０００６】　なお、あえて図示しないが、本発明を携帯するために、ノズルパイプ上部（２）、キャップ部（３ｂ）、吸気パイプ上部（４）、吸気パイプ下部（５）を取り外し、その分解した鼻腔内洗浄器本体（１）が、ちょうど良く入る布製の巾着または、プラスチック製の容器を形成すれば、本発明を携帯しやすくなり、利用者の便宜が向上する。また、ペットボトル（７）は、外出先などで入手し使用する。
【発明の効果】
【０００７】ペットボトル（７）を利用するため、容器を持たずに鼻腔内洗浄器本体（１）だけを分解しコンパクトに携帯でき、洗浄液の残量の把握が容易であり泊まり先などでも簡単に組み立て使用できる。又、低コストで製造できる。
【図面の簡単な説明】
【図１】本発明の側面図である。
【図２】図１の断面図である。
【図３】図１を分解したノズルパイプの断面図である。
【図４】本発明におけるキャップ部の断面図である。
【図５】本発明における吸気パイプ上部の断面図である。
【図６】本発明における吸気パイプ下部の断面図である。
【図７】本発明をペットボトルにセットしたときの側面図である。
【図８】図７の使用状態を示す図である。
【符号の説明】
１　　本体
２　　ノズルパイプ
３　　キャップ部
３ａ　キャップ部ノズルパイプ側
３ｂ　キャップ部ボトル側
３ｃ　雌ネジ部
４　　吸気パイプ上部
５　　吸気パイプ下部
６　　逆流防止装置
６ａ　オーリング
６ｂ　ボール状の浮き
６ｃ　留め具
６ｄ　末端部
７　　ペットボトル
【図１】
2004000738.tif 000003
【図２】
2004000738.tif 000004
【図３】
2004000738.tif 000005
【図４】
2004000738.tif 000006
【図５】
2004000738.tif 000007
【図６】
2004000738.tif 000008
【図７】
2004000738.tif 000009
【図８】
2004000738.tif 000010